(57)【要約】【課題】脚を製品本体から簡単にしかも短時間にはずせる脚の取り付け構造を提供する。【解決手段】製品本体１の底面に取り付けられる底板２に設けた孔４に内側から装着される脚５を備え、前記脚５に前記孔４の開口縁に引っ掛けられるフランジ６を設け、前記底板２が前記製品本体１に取り付けられた時に前記脚５に当接又は前記脚５を付勢する付勢手段７を前記製品本体１に設けて、前記脚５を取り付けるようにしたもので、製品本体１から底板２を外すだけで、脚５を底板２から簡単に取り外すことができるので、脚５の分解時間を短縮し、分解費用を低減できるとともにリサイクル率を向上させることができる。【選択図】図１
2006303148.tif 000002
【特許請求の範囲】
【請求項１】
製品本体の底面に取り付けられる底板に設けた孔に内側から装着される脚を備え、前記脚に前記孔の開口縁に引っ掛けられる凸部を設け、前記底板が前記製品本体に取り付けられた時に前記脚に当接又は前記脚を付勢する付勢手段を前記製品本体に設けて、前記脚を取り付けるようにした脚の取り付け構造。
【請求項２】
製品本体の外郭を形成するボデーの内面に付勢手段を設けた請求項１に記載の脚の取り付け構造。
【請求項３】
凸部をフランジ状に形成した請求項１又は２に記載の脚の取り付け構造。
【発明の詳細な説明】
【技術分野】
【０００１】
本発明は、電気製品やガス器具等に設けられる脚の取り付け構造に関するものである。
【背景技術】
【０００２】
従来、この種の脚の取り付け構造は、図３に示すように、製品本体１００の底部を覆うと共に孔１０２を有する裏板１０１と、孔１０２に圧入して係合される脚１０３から構成され、脚１０３が孔１０２に固定、保持される構成となっている（例えば、特許文献１参照）。
【特許文献１】特開平１１−１８９３７号公報
【発明の開示】
【発明が解決しようとする課題】
【０００３】
近年、地球環境保護の観点から循環型社会を目指し家庭用電気製品をはじめとして廃棄製品のリサイクル推進が求められている。
【０００４】
しかしながら、上記従来の脚の取り付け構造では、脚１０３が裏板１０１にしっかりと保持・固定され、容易に抜けないようになっているため、リサイクル等のために製品本体を分解する際、脚１０３が外しにくく分解に時間がかかるという課題を有していた。また、分解困難なためにリサイクルができないという課題も有していた。
【０００５】
本発明は、前記従来の課題を解決するもので、脚の底板からの分離が容易で、分解時間を短縮し分解費用を低減できるとともにリサイクル率が向上できる脚の取り付け構造を提供することを目的とする。
【課題を解決するための手段】
【０００６】
前記従来の課題を解決するために、本発明の脚の取り付け構造は、製品本体の底面に取り付けられる底板に設けた孔に内側から装着される脚を備え、前記脚に前記孔の開口縁に引っ掛けられる凸部を設け、前記底板が前記製品本体に取り付けられた時に前記脚に当接又は前記脚を付勢する付勢手段を前記製品本体に設けて、前記脚を取り付けるようにしたもので、製品本体から底板を外すだけで、脚を底板から簡単に取り外すことができるので、脚の分解時間を短縮し、分解費用を低減できるとともにリサイクル率を向上させることができる。
【発明の効果】
【０００７】
本発明の脚の取り付け構造は、脚の底板からの分離が容易なので、分解時間が短縮され分解費用を低減できるとともにリサイクル率の向上が可能となる。
【発明を実施するための最良の形態】
【０００８】
第１の発明は、製品本体の底面に取り付けられる底板に設けた孔に内側から装着される脚を備え、前記脚に前記孔の開口縁に引っ掛けられる凸部を設け、前記底板が前記製品本体に取り付けられた時に前記脚に当接又は前記脚を付勢する付勢手段を前記製品本体に設けて、前記脚を取り付けるようにしたもので、製品本体から底板を外すだけで、脚を底板から簡単に取り外すことができるので、脚の分解時間を短縮し、分解費用を低減できるとともにリサイクル率を向上させることができる。
【０００９】
第２の発明は、特に、第１の発明の製品本体の外郭を形成するボデーの内面に付勢手段を設けたもので、確実に脚に当接または脚を付勢する付勢手段を、安価に形成できる。
【００１０】
第３の発明は、特に、第１又は第２の発明の凸部をフランジ状に形成したもので、脚を確実に底板に設けた孔に引っ掛けることができるので、製品の使用時に不用意に脚が抜けることが無い。
【００１１】
以下、本発明の実施の形態について、図面を参照しながら説明する。なお、この実施の形態によって本発明が限定されるものではない。
【００１２】
（実施の形態１）
図１は、本発明の第１の実施の形態における脚の取り付け構造を有する製品本体の部分断面図、図３は、同脚とその取り付け部の斜視図である。
【００１３】
図１、２において、１は、脚５が取り付けられる製品本体で、その底面は、底板２で塞がれている。底板２はねじ３により製品本体１に取り付けられている。底板２には、複数の孔４が設けられ、その孔４に、凸部を形成するフランジ６を有する脚５が製品本体１の内部側から嵌め込まれ、その脚５はフランジ６が孔４の周縁に引っ掛かけているため抜け落ちることがない。また、製品本体１に底板２を取り付けた時に、脚５の上端に当接または上端を下方に付勢する付勢手段７が、製品本体１の外郭を形成するボデー１ａの内面に設けられており、脚５は、製品本体１の内側に落ち込むことがない。
【００１４】
上記構成により、ねじ３を外して、製品本体１より底板２を外すと、脚５を容易に取り外すことができる。したがって、脚５の底板２からの分離が容易になり、分解時間を短縮し分解費用を低減できるとともにリサイクル率を向上させることができる。また、底板２が製品本体１に固定されている時は、製品本体１に設けた付勢手段７により付勢していることにより、安価な構成で確実に脚５を付勢することができる。
【００１５】
また、脚５にフランジ６を設けたことにより、確実に底板２の孔４に脚５を引っ掛けることができる。
【００１６】
なお、上記実施の形態では、底板２を製品本体１に固定した時に、脚５の上端を付勢手段７により下方に付勢するようにしたが、付勢手段７が脚５の上端に単に当接するようにして脚５が上方に移動しないようにしても良い。
【００１７】
以上のように、本実施の形態によれば、近年求められている、地球環境保護の観点から循環型社会を目指し家庭用電気製品をはじめとして廃棄製品のリサイクルを推進することができる。
【産業上の利用可能性】
【００１８】
以上のように、本発明にかかる脚の取り付け構造は、脚の底板からの分離が容易で、分解時間を短縮し分解費用を低減できるとともにリサイクル率の向上が可能となるもので、脚に限らずクッションゴム等製品に挿入・装着される各種部品、製品の取り付け構造にも適用できる。
【図面の簡単な説明】
【００１９】
【図１】本発明の実施の形態１における脚の取り付け構造を有する製品本体の部分断面図
【図２】同脚及びその取り付け部の斜視図
【図３】従来の脚の取り付け構造を有する製品本体の部分断面図
【符号の説明】
【００２０】
１  製品本体
１ａ  ボデー
２  底板
３  ねじ
４  孔
５  脚
６  フランジ（凸部）
７  付勢手段
【図１】
2006303148.tif 000003
【図２】
2006303148.tif 000004
【図３】
2006303148.tif 000005